(57)【特許請求の範囲】
【請求項１】
送信経路（Ｐ）で発生した障害の位置を特定する方法であって、
−  経路セグメント（ＰＳ）を備える前記送信経路（Ｐ）でオーバヘッド（ＯＨ）を備えるデータ信号（ＤＳ）を送信するステップと、
−  前記オーバヘッド（ＯＨ）において、前記経路セグメント（ＰＳ）に割り当てられたオーバヘッドフィールド（ＯＨＦ）を提供するステップと、
−  前記経路セグメント（ＰＳ）の初め（ＢＰＳ）に配置された第１のネットワークノード（Ｎ１）において、第１のタンデム接続監視層のタンデム接続監視ソース機能を実行するステップと、
−  前記経路セグメント（ＰＳ）の終わり（ＥＰＳ）に配置された第２のネットワークノード（Ｎ２）において、前記第１のタンデム接続監視層のタンデム接続監視シンク機能を実行することにより、前記経路セグメント（ＰＳ）での前記送信を監視するステップと、
−  前記第１のネットワークノード（Ｎ１）において、前記経路セグメント（ＰＳ）の前で発生した前記データ信号の障害を検出した場合は、データ信号障害を示す情報を前記オーバヘッドフィールド（ＯＨＦ）に入れるステップと、
−  前記第２のネットワークノード（Ｎ２）において、前記タンデム接続監視シンク機能によって障害を検出した場合は、タンデム接続障害を示す情報を前記オーバヘッドフィールド（ＯＨＦ）に入れるステップと、
−  前記経路セグメント（ＰＳ）の後ろに配置された第３のネットワークノード（Ｎ３）において、前記送信経路（Ｐ）で発生した前記データ信号の障害を検出した場合は、前記オーバヘッドフィールド（ＯＨＦ）に含まれている情報を使用して、前記検出された障害が前記経路セグメント（ＰＳ）の中で発生したか否かを判定するステップと
を備える方法。
【請求項２】
前記オーバヘッド（ＯＨ）が、前記タンデム接続監視層のために確保されるタンデム接続監視フィールド（ＴＣＭＦ）をさらに備え、前記第１のおよび前記第２のネットワークノード（Ｎ１、Ｎ２）は、前記タンデム接続監視フィールド（ＴＣＭＦ）を使用して、前記タンデム接続監視ソース機能および前記タンデム接続監視シンク機能を実行する、請求項１に記載の方法。
【請求項３】
前記オーバヘッドフィールド（ＯＨＦ）が、第１のおよび第２のオーバヘッドサブフィールド（ＯＨＦ１、ＯＨＦ２）を含み、前記第１のネットワークノード（Ｎ１）は、データ信号障害を示す前記情報を前記第１のオーバヘッドサブフィールド（ＯＨＦ１）に入れ、前記第２のネットワークノード（Ｎ２）は、タンデム接続障害を示す前記情報を前記第２のオーバヘッドサブフィールド（ＯＨＦ２）に入れ、前記第３のネットワークノード（Ｎ３）は、前記第１のおよび前記第２のオーバヘッドフィールド（ＯＨＦ１、ＯＨＦ２）に含まれている情報を使用して、検出された障害が前記経路セグメント（ＰＳ）の中で発生したか否かを判定する、請求項１に記載の方法。
【請求項４】
前記第３のネットワークノード（Ｎ３）が、
−  前記第１のオーバヘッドサブフィールド（ＯＨＦ１）が、データ信号障害がないことを示す情報を含み、
−  前記第２のオーバヘッドサブフィールド（ＯＨＦ２）が、タンデム接続障害を示す情報を含む場合は、前記検出された障害が前記経路セグメント（ＰＳ）の中で発生したと判定する、請求項３に記載の方法。
【請求項５】
−  前記経路セグメント（ＰＳ）の前に配置された第４のネットワークノード（Ｎ４）において、第２のタンデム接続監視層（ＴＣＭ２）の第２のタンデム接続監視ソース機能を実行するステップであって、前記第２のタンデム接続監視層（ＴＣＭ２）が、前記第１のタンデム接続監視層（ＴＣＭ１）と異なる、ステップと、
−  前記第３のネットワークノード（Ｎ３）において、前記第２のタンデム接続監視層（ＴＣＭ２）の第２のタンデム接続監視シンク機能を実行することにより、前記経路（Ｐ）で発生した前記データ信号の前記障害を検出するステップと
をさらに備える、請求項１から４のいずれか一項に記載の方法。
【請求項６】
前記第１のおよび前記第２のネットワークノード（Ｎ１、Ｎ２）が、第１のネットワークドメイン（ＤＯＭＡＩＮ１）に属し、前記第３のおよび前記第４のネットワーク（Ｎ３、Ｎ４）ノードは、第２のネットワークドメイン（ＤＯＭＡＩＮ２）に属し、
−  前記第３のネットワークノード（Ｎ３）において、前記第３のネットワークノード（Ｎ３）において前記データ信号の障害が前記送信経路（Ｐ）で発生したことを検出した場合は、
−  前記第１のオーバヘッドサブフィールド（ＯＨＦ１）が、データ信号障害を示す情報を含み、
−  前記第２のオーバヘッドサブフィールド（ＯＨＦ２）が、タンデム接続障害がないことを示す情報を含む
場合のみ、前記第２のネットワークドメイン（ＤＯＭＡＩＮ２）の中で前記送信経路の保護スイッチング機能および／または補修を開始するステップをさらに備える、請求項５に記載の方法。
【請求項７】
ネットワークノード（ＮＮ’）であって、送信経路の経路セグメントに割り当てられたオーバヘッドフィールド（ＯＨＦ）を含むオーバヘッド（ＯＦ）を備えたデータ信号を受信するように構成された少なくとも１つのインターフェース（ＰＩ）を備え、前記オーバヘッドフィールド（ＯＨＦ）が第１および第２のオーバヘッドサブフィールド（ＯＨＦ１、ＯＨＦ２）を含み、
−  前記受信されたデータ信号の障害を検出するように構成された障害検出器（ＯＦＵＦ）と、
−  前記第１および第２のオーバヘッドサブフィールド（ＯＨＦ１、ＯＨＦ２）に含まれている情報を使用することにより、前記検出された障害が前記経路セグメント（ＰＳ）の中で発生したか否かを判定するように構成されたオーバヘッドプロセッサ（ＯＨＰ）とをさらに備え、
前記第１のオーバーヘッドサブフィールド（ＯＨＦ１）が、前記経路セグメント（ＰＳ）の始めに位置する第１のネットワークノードがデータ信号障害を検出したか否かを示す情報を含み、
前記第２のオーバーヘッドサブフィールド（ＯＨＦ２）が、前記経路セグメント（ＰＳ）の終わりに位置する第２のネットワークノードがタンデム接続障害を検出したか否かを示す情報を含む、ネットワークノード（ＮＮ’）。
【発明の詳細な説明】
【技術分野】
【０００１】
本発明は、送信経路で発生した障害の位置を特定する方法に関する。
【背景技術】
【０００２】
送信経路でデータ信号を送信するとき、ネットワーク資源の障害は、データ信号の送信の障害を引き起こす可能性がある。送信経路は、様々なセグメントを含んでよい。様々な理由から、どのセグメントの中で障害が発生したかを知ることは有用である。
【発明の概要】
【発明が解決しようとする課題】
【０００３】
送信経路で発生した障害の位置を特定する方法が提供される。
【課題を解決するための手段】
【０００４】
オーバヘッドを含むデータ信号が送信経路で送信される。送信経路は、経路セグメントを備える。
【０００５】
第１のネットワークノードが、経路セグメントの初めに配置される。第１のネットワークノードは、タンデム接続のタンデム接続監視ソース機能を実行する。
【０００６】
第２のネットワークノードが経路セグメントの終わりに配置される。第２のネットワークノードは、第１のネットワークノードのタンデム接続監視ソース機能に対応するタンデム接続監視シンク機能を実行することにより、経路セグメントでの送信を監視する。
【０００７】
第１のネットワークノードが、データ信号の障害が経路セグメントの前で発生したことを検出した場合、第１のネットワークノードは、データ信号障害を示す情報をオーバヘッドのオーバヘッドフィールドに入れる。
【０００８】
第２のネットワークノードがタンデム接続監視シンク機能を実行することによりタンデム接続の障害を検出した場合、第２のネットワークノードは、タンデム接続障害を示す情報をオーバヘッドフィールドに入れる。
【０００９】
第３のネットワークノードが、送信経路において経路セグメントの後ろに配置される。第３のネットワークノードが、データ信号の送信障害が送信経路で発生したことを検出した場合、第３のネットワークノードは、オーバヘッドフィールドに含まれている情報を使用して、検出された障害が経路セグメントの中で発生したか、または検出された障害が経路セグメントの外で発生したかを判定する。
【図面の簡単な説明】
【００１０】
【図１】送信経路に配置されたネットワークノードを示す図である。
【図２】オーバヘッドペイロードを備えたデータフィールドを示す図である。
【図３】送信経路に配置されたネットワークノード、および障害が経路セグメントで発生した場合のデータ信号を示す図である。
【図４】配置されたネットワークノード、および障害が送信経路の経路セグメントの外で発生した場合のデータ信号を示す図である。
【図５】ネットワークノード、ならびにネットワークノードの様々なネットワークドメインへの割当てを示す図である。
【図６】知られている通信規格に準拠したデータ信号を示す図である。
【図７】オーバヘッドバイトの割当てを示す図である。
【図８】オーバヘッドバイトの様々な経路セグメントへの割当てを示す図である。
【図９】ネットワークノードのハードウェアコンポーネントを示す図である。
【図１０ａ】ネットワークの中に含まれる処理ユニットの要素を示す図である。
【図１０ｂ】ネットワークの中に含まれる処理ユニットの要素を示す図である。
【図１１】ネットワークノードを示す図である。
【発明を実施するための形態】
【００１１】
図１は、送信経路Ｐに配置されたネットワークＮＴのネットワークノードを示す。送信経路Ｐは、経路セグメントＰＳを含む。図１に示されているように、送信は、左から右へ実行される。経路セグメントＰＳの初めＢＰＳに、ネットワークノードＮ１が配置される。経路セグメントＰＳの終わりＥＰＳに、別のネットワークノードＮ２が配置される。さらなるネットワークノードＮ３が、送信経路Ｐで経路セグメントＰＳの後ろに配置される。
【００１２】
さらなるネットワークノードＮが送信経路Ｐに配置される。これらのネットワークノードＮは、送信されたデータ信号を監視し、送信されたデータ信号の障害が発生した場合は、アラーム信号を生成する。ネットワークノードＮがアラーム信号を生成すると、次いでこのアラーム信号は、次に続くネットワークノードによって経路Ｐの終わりまで渡される。
【００１３】
図２は、送信経路で送信されるデータ信号ＤＳの一般的なフレーム構造を示す。データ信号ＤＳは、ペイロードＰＬならびにオーバヘッドＯＨを備える。オーバヘッドＯＨは、タンデム接続監視層のパリティ情報を担持するためのタンデム接続監視フィールドＴＣＭＦを含む。さらに、オーバヘッドＯＨは、オーバヘッドフィールドＯＨＦを含む。オーバヘッドフィールドＯＨＦは、第１のオーバヘッドサブフィールドＯＨＦ１および第２のオーバヘッドサブフィールドＯＨＦ２を含む。
【００１４】
図１に戻って、次に、データ信号が送信経路Ｐでどのような方式で送信されるのかが説明される。
【００１５】
左側から開始して、経路Ｐの初めＢＰにおいて、データ信号が右側に向かって送信経路Ｐの終わりＥＰへ送信される。ネットワークノードＮ、Ｎ１、Ｎ２、Ｎ３は、データ信号を受信し、それをそれらの次の隣接ネットワークノードに渡す。
【００１６】
ネットワークノードＮ１は、タンデム接続監視層のタンデム接続監視ソース機能を実行する。ネットワークノードＮ１は、データ信号のペイロードに関してパリティ情報を算出し、このパリティ情報を図２に示されているオーバヘッドＯＨのタンデム接続監視フィールドＴＣＭＦに書き込むことによって実行する。代替解決策によれば、ネットワークノードＮ１は、算出されたパリティ情報を、後でネットワークノードＮ１によって送信されるデータ信号のフレームのタンデム接続フィールドに書き込む。
【００１７】
ネットワークノードＮ２は、データ信号ＤＳを受信する。さらに、ネットワークノードＮ２は、タンデム接続監視シンク機能を実行することにより経路セグメントＰＳでの送信を監視する。ネットワークノードＮ２は、受信された信号データ信号ＤＳのペイロードＰＬに関するパリティ情報を算出し、算出されたパリティ情報を、データ信号ＤＳのタンデム接続監視フィールドＴＣＭＦの中に含まれているパリティ情報と比較することによって監視する。経路セグメントＰＳで障害が発生した場合は、ペイロードＰＬは修正され、その結果、ネットワークノードＮ２において算出されたパリティ情報はもはや、タンデム接続監視フィールドＴＣＭＦの中に含まれているパリティ情報に等しくなくなる。したがって、ネットワークノードＮ２は、経路セグメントＰＳで発生した送信障害を検出することができる。代替解決策によれば、ネットワークノードＮ２は、算出されたパリティ情報を、後で受信されるデータ信号のタンデム接続監視フィールドの中に含まれているパリティ情報と比較する。
【００１８】
データ信号ＤＳのタンデム接続監視フィールドＴＣＭＦは、経路セグメントＰＳでのデータ信号の送信を観察するタンデム接続監視層に割り当てられるフィールドである。代替解決策によれば、データ信号ＤＳは、複数のタンデム接続監視層のパリティ情報を担持するための複数のフィールドを含み、各フィールドは、個々の経路セグメントでの送信を監視するために使用される個々のタンデム接続監視層に割り当てられる。
【００１９】
ネットワークノードＮ１が、データ信号の障害が経路セグメントＰＳの前で発生したことを検出した場合は、ネットワークノードＮ１は、データ信号障害を示す情報をオーバヘッドサブフィールドＯＨＦ１に入れる。ネットワークノードＮ１は、送信経路Ｐにおいて経路セグメントＰＳの前に配置されたネットワークノードＮによって生成されたアラーム信号を受信することにより、データ信号の障害を検出する。さらに、ネットワークノードは、受信されるデータ信号を監視し、受信されたデータ信号そのものから、またはデータ信号がないことから、データ信号の障害が発生したと推論する。
【００２０】
ネットワークノードＮ２は、経路セグメントＰＳで実行されるタンデム接続監視層機能を終了する。ネットワークノードＮ２によってデータ信号ＤＳのペイロードＰＬに関して算出されたパリティ情報が、データ信号のタンデム接続監視フィールドＴＣＭＦの中に含まれているパリティ情報と等しくない場合は、ネットワークノードＮ２は、タンデム接続監視層機能の障害が存在すると推論する。代替解決策によれば、ネットワークノードＮ２はまた、データ信号ＤＳのタンデム接続監視フィールドＴＣＭＦに含まれているある種のビットパターンから、アラーム信号が経路セグメントＰＳでネットワークノードＮ２の前に配置されているネットワークノードＮによって生成されたと推論する。さらにこの場合、ネットワークノードＮ２は、アラーム信号を受信したので、経路セグメントＰＳのタンデム接続監視層機能の障害が存在すると推断する。
【００２１】
経路セグメントＰＳで実行されるタンデム接続監視層機能の障害がネットワークノードＮ２によって検出された場合は、ネットワークノードＮ２は、タンデム接続障害を示す情報をオーバヘッドサブフィールドＯＨＦ２に入れる。
【００２２】
ネットワークノードＮ３は、ネットワークノードＮ３によって受信されるデータ信号を監視し、データ信号の障害を検出するための機能を実行する。ネットワークノードＮ３がデータ信号の障害を検出した場合は、ネットワークノードＮ３は、オーバヘッドフィールドＯＨＦの中に含まれている情報を使用して、検出された障害が経路セグメントＰＳの中で発生したか、または経路セグメントＰＳの外で発生したかを判定する。そうすることにより、ネットワークノードＮ３は、ネットワーク資源が経路セグメントＰＳの中で故障したか、または経路セグメントＰＳの外で故障したかを判定することできる。したがって、ネットワークノードＮ３は、保護および／または修復動作が経路セグメントＰＳの中で開始されなければならないか、経路セグメントＰＳの外で開始されなければならないかを推論することができる。
【００２３】
オーバヘッドサブフィールドＯＨＦ１が、データ信号障害がないことを示す情報を含む場合は、ネットワークノードＮ３は、このことから、データ信号障害が経路セグメントＰＳの前で発生しなかったと推論する。さらに、オーバヘッドサブフィールドＯＨＦ２がタンデム接続障害を示す情報を含む場合は、ネットワークノードＮ３は、このことから、検出された障害は経路セグメントＰＳで発生した障害によって引き起こされたと推論する。
【００２４】
図３は、図１においてすでに示されているように、送信経路Ｐおよび経路セグメントＰＳに配置されたネットワークノードと共にネットワークＮＴを示す。
【００２５】
さらに、図３は、経路セグメントＰＳにおいて、経路セグメントＰＳの中に配置されたネットワークノードＮ１とネットワークノードＮとの間にある位置で発生した障害Ｆ２を示す。
【００２６】
さらに、図３は、送信経路Ｐの様々な段階におけるデータ信号ＤＳ１、ＤＳ２を示す。
【００２７】
データ信号ＤＳ１の送信の初めにおいて、オーバヘッドフィールドＯＨＦ１、ＯＨＦ２の中に存在する情報は、値０にセットされる。０の値は、障害が発生していないことを示す。
【００２８】
経路の初めＢＰと第１のネットワークノードＮ１との間に配置されたネットワークノードＮは、データ信号ＤＳ１を監視する。データ信号ＤＳ１の障害がネットワークノードＮによって検出されなかったので、ノードＮはアラーム信号を生成しない。
【００２９】
ネットワークノードＮ１は、データ信号ＤＳ１を監視し、そしてまたアラーム信号が受信されるかどうかもチェックする。データ信号ＤＳ１はこの段階で障害を有しないので、そしてまたネットワークノードＮ１によってアラーム信号が受信されなかったので、ネットワークノードＮ１は、オーバヘッドサブフィールドＯＨＦ１に含まれている情報を修正しない。さらに、ネットワークノードＮ１は、タンデム接続監視フィールドＴＣＭＦに挿入されるパリティ情報ＴＣＭＮ１を生成する。
【００３０】
経路セグメントＰＳの中で、障害Ｆ２が発生する。障害Ｆ２が発生した位置の後ろに配置されているネットワークノードＮにおいて障害Ｆ２が検出される。したがって、ネットワークノードＮは、送信経路Ｐで伝搬されるアラーム指示信号（ＡＩＳ）と呼ばれるアラーム信号を生成する。元の送信データ信号ＤＳ１は、アラーム信号を担持するデータ信号ＤＳ２と取り替えられる。データ信号ＤＳ２のペイロードＰＬは、そのビットパターンに１のみ、つまりＡＬＬ１を含む。さらに、データ信号ＤＳのオーバヘッドＯＨは、タンデム接続監視フィールドＴＣＭＦにそのビットパターンとして１のみ、つまりＡＬＬ１を含む。データ信号Ｄ２のオーバヘッドサブフィールドＯＨＦ１、ＯＨＦ２はゼロを含む。
【００３１】
ネットワークノードＮ２は、データ信号ＤＳ２を受信し、タンデム接続監視フィールドＴＣＭＦの中のビットパターンＡＬＬ１から、データ信号ＤＳ２が経路セグメントＰＳの中で生成されたアラーム信号を担持すると推論する。したがって、ネットワークノードＮ２は、経路セグメントＰＳのタンデム接続監視層機能の障害が発生したと推断する。したがって、ネットワークノードＮ２は、オーバヘッドサブフィールドＯＨＦ２にタンデム接続の障害を示す情報を入れる。この情報は、オーバヘッドサブフィールドＯＨＦ２に入れられた１を表すビットパターン「０１」の形で提供される。ネットワークノードＮ２は、次いで、データ信号ＤＳ２をさらに送信し続ける。
【００３２】
ネットワークノードＮ３は、データ信号ＤＳ２を受信する。ネットワークノードＮ３は、受信されたデータ信号ＤＳのペイロードＰＬが１のみ、つまりＡＬＬ１を含むという事実から、受信されたデータ信号はアラーム信号であると推論する。したがって、ネットワークノードＮ３は、送信障害が送信経路Ｐで発生したと推論する。
【００３３】
ネットワークノードＮ３は、オーバヘッドサブフィールドＯＨＦ１、ＯＨＦ２によって提供された情報について考察する。この情報は、データ信号障害が経路セグメントＰＳの前では発生しなかったが、タンデム接続障害が経路セグメントＰＳの中で発生したことを示すので、ネットワークノードＮ３は、検出された障害が経路セグメントＰＳの中で発生したと推断する。
【００３４】
図４は、図１においてすでに示されているように、送信経路Ｐおよび経路セグメントＰＳに配置されたネットワークノードと共にネットワークＮＴを示す。さらに、図４は、経路セグメントＰＳの前で、そしてまた経路セグメントＰＳの前に配置されたネットワークノードＮの前で発生した障害Ｆ１を示す。
【００３５】
さらに、図４は、ネットワークの様々な段階における送信されたデータ信号ＤＳ１’、ＤＳ２’を示す。
【００３６】
送信経路Ｐの初めにおいて、オーバヘッドサブフィールドＯＨＦ１およびＯＨＦ２はゼロのみから成るビットパターンを含む。
【００３７】
ネットワークノードＮは、送信経路Ｐで経路セグメントＰＳの前に配置される。このネットワークノードＮと送信経路Ｐの初めＢＰとの間で、障害Ｆ１が発生する。この障害Ｆ１は、ネットワークノードＮによって検出され、したがって、ネットワークノードＮは、元のデータ信号ＤＳ１’を、アラーム信号を担持するデータ信号ＤＳ２’で取り替える。データ信号ＤＳ２’は、前述のデータ信号ＤＳ２と同じ構造のものである。
【００３８】
経路セグメントＰＳの初めＢＰＳにおいて、ネットワークノードＮ１は、データ信号ＤＳ２’を受信する。データ信号ＤＳ２’のペイロードＰＬに含まれているビットパターンを分析することにより、ネットワークノードＮ１は、アラーム信号が受信されたと推論する。したがって、ネットワークノードＮ１は、データ信号ＤＳ１’の障害が存在すると推断する。したがって、ネットワークノードＮ１は、オーバヘッドサブフィールドＯＨＦ１にデータ信号障害を示す情報を入れる。この情報は、オーバヘッドサブフィールドＯＨＦ１に入れられた１を表すビットパターン「０１」の形で提供される。さらに、ネットワークノードＮ１は、データ信号ＤＳ２’のペイロードＰＬに関して算出されるパリティ情報ＴＣＭＮ１を生成し、この情報をデータ信号ＤＳ２’のタンデム接続監視フィールドＴＣＭＦに入れる。
【００３９】
経路セグメントＰＳの終わりＥＰＳにおいて、ネットワークノードＮ２は、データ信号ＤＳ２’を受信する。ネットワークノードＮ２は、データ信号ＤＳ２’のペイロードＰＬに関してパリティ情報を算出し、この算出されたパリティ情報を、データ信号ＤＳ２’のタンデム接続監視フィールドＴＣＭＦにおいて与えられているパリティ情報ＴＣＭＮ１と比較する。経路セグメントＰＳでは障害が発生しなかったので、算出されたパリティ情報は、タンデム接続監視フィールドＴＣＭＦに与えられているパリティ情報ＴＣＭＮ１に合致する。したがって、ネットワークノードＮ２は、経路セグメントＰＳにはタンデム接続の障害は存在しないと推断する。したがって、ネットワークノードＮ２は、オーバヘッドＯＨのオーバヘッドサブフィールドＯＨＦ２の中の情報を修正しない。
【００４０】
ネットワークノードＮ３がデータ信号ＤＳ２’を受信し、受信された信号ＤＳ２’のペイロードＰＬは１のみを含むという事実から、アラーム信号が受信され、送信経路Ｐでの障害が発生したと推論する。
【００４１】
ネットワークノードＮ３は、オーバヘッドサブフィールドＯＨＦ１、ＯＨＦ２に与えられている情報について考察する。オーバヘッドサブフィールドＯＨＦ１がデータ信号障害を示し、オーバヘッドサブフィールドＯＨＦ２がタンデム接続障害は発生しかったことを示すので、ネットワークノードＮ３は、検出された障害は経路セグメントＰＳの外で発生したと推断する。
【００４２】
図５は、送信経路Ｐに配置されたネットワークＮＴ'のネットワークノードを示す。図５に示されているネットワークＮＴ’は、一般に、図１に示されているネットワークＮＴと同じであるが、送信経路Ｐの初めＢＰの後ろで、経路セグメントＰＳの初めＢＰＳの前に配置されたネットワークノードＮ４をさらに含む。ネットワークノードＮ４は、タンデム接続監視ソース機能を実行し、一方、ネットワークノードＮ３は、ネットワークノードＮ４のソース機能に対応するタンデム接続監視シンク機能を実行する。したがって、ネットワークノードＮ３、Ｎ４は、それらの間のデータ信号の送信を監視するためにそれらの間のタンデム接続監視層機能ＴＣＭ２を実行する。
【００４３】
ネットワークノードＮ１、Ｎ２は、前に上記で説明されたように、図５ではタンデム接続監視層機能ＴＣＭ１として示されているタンデム接続監視層機能を実行する。
【００４４】
様々なタンデム接続監視機能ＴＣＭ１、ＴＣＭ２を実行するために、データ信号のオーバヘッドは、複数のタンデム接続監視フィールドを含む。各タンデム接続監視機能ＴＣＭ１、ＴＣＭ２は、オーバヘッドの中に個々のタンデム接続監視フィールドを割り当てられる。
【００４５】
ネットワークノードＮ３は、タンデム接続監視層機能ＴＣＭ２のタンデム接続監視シンク機能を実行することにより、ネットワークノードＮ４とそれ自体との間で発生した障害を検出することができる。代替解決策によれば、受信されたデータ信号がそのペイロードの中にアラーム信号の存在を示す１のみを含む場合は、ワークノードＮ３は、障害がネットワークノードＮ４とそれ自体との間で発生したと推断する。
【００４６】
ネットワークノードＮ３は、検出された障害が経路セグメントＰＳの中で発生したか、または経路セグメントＰＳの外で発生したかを判定するために、前に上記で説明されたように、オーバヘッドサブフィールドＯＨＦ１、ＯＨＦ２によって提供された情報を分析する。
【００４７】
経路セグメントＰＳの中に配置されたノードＮ１、Ｎ、Ｎ２は、図５に示されているように、ネットワークドメインＤＯＭＡＩＮ１に属する。ネットワークノードＮ４、Ｎ３の間で送信経路Ｐに配置されているが、ネットワークドメインＤＯＭＡＩＮ１に属さない他のネットワークノードＮ３、Ｎ４、Ｎは、図５に示されているように、別のネットワークドメインＤＯＭＡＩＮ２に属する。
【００４８】
検出された障害が経路セグメントＰＳの中で発生したか否かを推論することができることにより、ネットワークノードＮ３は、障害を検出するとすぐ保護および／または修復動作がＤＯＭＡＩＮ１の中で実行されなければならないか、またはＤＯＭＡＩＮ２の中で実行されなければならないかを決定することができる。ネットワークノードＮ３は、障害が経路セグメントＰＳの中で発生しなかったと判定された場合にのみ、ＤＯＭＡＩＮ２の中で保護および／または修復を開始する。
【００４９】
他の実施形態によれば、送信されるデータ信号は、Ｇ．７０９と略称される規格ＩＴＵ−Ｔ  Ｇ．７０９／Ｙ．１３３１（０３／２００３）によって提案された光データユニット（ＯＤＵ）である。ＯＤＵは、光データユニットオーバヘッド（ＯＤＵオーバヘッド）と呼ばれるオーバヘッド、ならびに光ペイロードユニット（ＯＰＵ）を含む。ＯＰＵは、ペイロードデータおよび光ペイロードオーバヘッド（ＯＰＵオーバヘッド）を含む。
【００５０】
ＯＤＵの形でのデータ信号は、光トランスポートユニット（ＯＴＵ）と呼ばれるデータ信号に入れてトランスポートされる。ＯＴＵは、ＯＴＵオーバヘッドと呼ばれる追加のオーバヘッド、ならびにフレームアライメントオーバヘッドをさらに含む。フレームアライメントオーバヘッド
ＯＴＵに含まれているオーバヘッド情報の全体構造ＯＴＵ−ＯＨは、Ｇ．７０９においてセクション１５．８．１で見ることができ、図６に示されている。オーバヘッドＯＴＵ−ＯＨは、フレームアライメントオーバヘッド、ＯＴＵオーバヘッド、ＯＰＵオーバヘッド、およびＯＤＵオーバヘッドＯＤＵ−ＯＨに属する他のフィールドから成る。
【００５１】
ＯＤＵオーバヘッドＯＤＵ−ＯＨは、６つの異なるタンデム接続監視層機能のパリティ情報を格納するための６つのそれぞれ異なるフィールドを含む。これらのフィールドは、オーバヘッドＯＤＵ−ＯＨの中でフィールドＴＣＭ１、ＴＣＭ２、ＴＣＭ３、ＴＣＭ４、ＴＣＭ５、ＴＣＭ６として示される。したがって、オーバヘッドＯＤＵ−ＯＨは、６つの異なるタンデム接続監視層をサポートする。さらに、オーバヘッドＯＤＵ−ＯＨは、ＦＴＦＬとして示されているフィールドの中に格納されている障害タイプ／障害位置特定オーバヘッドバイトを含む。このフィールドＦＴＦＬは、規格Ｇ．７０９においてセクション１５．８．２．５．１の中に記載されている。
【００５２】
規格Ｇ．７０９は、フィールドＦＴＦＬの中の可能なバイトのすべてを使用することを提案するのではなく、いくつかのバイトを他の目的のために自由に使用されるようにしておく。規格Ｇ．７０９、セクション１５．６．２．２に記載されているように、データ信号は、ＯＴＵの複数のフレームにまたがってよい。そのような信号は、通常のＯＴＵｋ／ＯＤＵｋフレームアライメントに加えて、マルチフレームアライメント処理が実行されることを必要とする。ＯＴＵｋオーバヘッドＯＵＴ−ＯＨの中で、行１、列７におけるフレームアライメントオーバヘッドの中の１バイトが、マルチフレームアライメントを可能にするために確保される。このバイトの値は、各ＯＴＵｋ／ＯＤＵｋフレームごとにインクリメントされ、それ自体で２５６−フレームのマルチフレームを提供する。１つのフレームのフィールドＦＴＬＦは１バイトを含むので、２５６フレームのマルチフレームのすべてのフィールドＦＴＬＦは２５６バイトを含む。フィールドＦＴＦＬのマルチフレーム構造の構造は、図７に詳細に示されている。
【００５３】
図７は、フィールドＦＴＦＬのマルチフレーム構造が２５６バイトを含むことを例示する。これらの２５５バイト中、最後の４バイトは、データ信号の障害を示す、またはタンデム接続の障害を示す情報を担持するために使用される。４つのそれぞれ異なるバイトは、図７の中でビット０から３１までとして示されている３２ビットを提供する。これらの３２ビット中、２４ビットは、６つの異なるタンデム接続監視機能によって監視される６つのそれぞれ異なる経路セグメントに関する適切な情報を格納するために使用される。第１のオーバヘッドフィールドＴＣ＃１は、第１の経路セグメントに関する適切な情報を格納するためにビット０から３までから構成される。他のオーバヘッドフィールドＴＣ＃２からＴＣ＃６までは、他のタンデム接続監視機能によって監視される他の経路セグメントに関する適切な情報を格納するために使用される。ビット２４から３１までは使用されず、スペアビットとして保持される。
【００５４】
図８は、一例として、オーバヘッドフィールドＴＣ＃３の詳細な構造を例示する。フィールドＴＣ＃３は、２つのビット０、１から構成された第１のオーバヘッドサブフィールドＩＮＣＯＭＩＮＧ  ＡＩＳ、および２つの他のビット２、３から構成された他のオーバヘッドサブフィールドＴＣ  ＡＬＡＲＭを含む。ネットワークノードが経路セグメントの初めにおいてデータ信号の障害を検出した場合、ネットワークノードは、対応するオーバヘッドサブフィールドＩＮＣＯＭＩＮＧ  ＡＩＳに１を表すビットパターン「０１」を入れる。経路セグメントの終わりに配置されたネットワークノードがタンデム接続の障害を検出した場合は、ネットワークノードは、対応するオーバヘッドサブフィールドＴＣ  ＡＬＡＲＭに１を表すビットパターン「０１」を入れる。
【００５５】
ネットワークノードＮ、Ｎ１、Ｎ２、Ｎ３は、Ｇ．７９８と略称される通信規格ＩＴＵ−Ｔ  Ｇ．７９８（１２／２００６）においてセクション１４．２および１４．５の中に記載されているように、受信されるデータ信号の監視を実行し、障害状態からデータ信号の障害が存在することを推論することによりデータ信号の障害を検出する。
【００５６】
Ｇ．７０９においてセクション１６．５．１に記載されているように、データ信号の形でのアラーム信号が生成される。そのようなアラーム信号は、その構造からは送信されたデータ信号と同じものであるが、そのペイロードの中に１のみを含み、フレームアライメントオーバヘッドフィールド、ＯＴＵｋオーバヘッドフィールド、およびフィールドＦＴＦＬ以外は、そのオーバヘッドの中にも１のみを含む。
【００５７】
図９は、ネットワークノードＮＮの一般的な構造を示す。ネットワークノードＮＮは、通信規格Ｇ．７０９に記載されているように、光トランスポートユニット（ＯＴＵ）の形でのデータ信号を受信するための物理インターフェースＰＩ１を含む。
【００５８】
さらに、ネットワークノードＮＮは、光トランスポートユニットＯＴＵから光データユニットＯＤＵを取得するためのＯＴＵフレーマＯＴＵＦを含む。さらに、ネットワークノードＮＮは、光データユニットＯＤＵを処理する処理ユニットＰＵを含む。処理ユニットＰＵの中には、ＯＤＵフレーマＯＤＵＦおよびＯＤＵオーバヘッドプロセッサＯＨＰが含まれる。ＯＤＵフレーマは、光データユニットを光スイッチングマトリクスＯＸＣに渡す。光スイッチングマトリクスＯＸＣから、１つの処理ユニットから来る着信光データユニットを別の処理ユニットＰＵに切り替えることにより、データ信号経路が確立される。
【００５９】
処理ユニットＰＵは、ＯＤＵフレーマＯＤＵＦおよび光データユニットオーバヘッドプロセッサＯＨＰを含む。ＯＤＵフレーマＯＤＵＦは、光データユニットＯＤＵをＯＴＵフレーマＯＴＵＦに渡し、次いで、ＯＴＵフレーマＯＴＵＦは光トランスポートユニットＯＴＵを、データ信号を送信するための物理インターフェースＰＩ２に渡す。
【００６０】
経路セグメントの初めに配置されたネットワークノードの処理ユニットＰＵ１の一般的構造が、図１０ａに詳細に例示されている。図１０ａは、ＯＤＵフレーマＯＤＵＦ１が図９に示されているオーバヘッドプロセッサＯＨＰの中に含まれているタンデム接続プロセッサＴＣＰ１と情報を交換することを示す。ＯＤＵフレーマＯＤＵＦ１は、規格Ｇ．７９８に準拠している。ＯＤＵフレーマＯＤＵＦ１は、受信されるデータ信号ＯＤＵを監視し、データ信号ＯＤＵのペイロードがデータ信号障害と同等のアラーム信号を示す１のみを含む場合は、ＯＤＵフレーマＯＤＵＦ１は適切なアラーム情報ＡＬＡＲＭを提供することによりタンデム接続プロセッサＴＣＰ１に対するアラーム信号の受信を示すように構成される。ＯＤＵフレーマＯＤＵＦ１はさらに、受信されるデータ信号を監視し、通信規格Ｇ．７９８においてセクション１４．２および１４．５の中に詳細に記載されている状態からデータ信号障害が存在するかどうかを推論する。データ信号障害が存在する場合は、ＯＤＵフレーマＯＤＵＦ１は、これをアラーム情報ＡＬＡＲＭを介してタンデム接続プロセッサＴＣＰ１に示す。
【００６１】
データ信号障害を示すアラーム情報ＡＬＡＲＭを受信した場合、タンデム接続プロセッサＴＣＰ１は、データ信号障害を示す情報ＩＮＣ  ＡＩＳをデータ信号ＯＤＵのオーバヘッドに書き込む。
【００６２】
タンデム接続プロセッサＴＣＰ１はさらに、データ信号ＯＤＵのペイロードに関してパリティ情報ＴＣＰＩを算出し、このパリティ情報ＴＣＰＩをデータ信号ＯＤＵのオーバヘッドに書き込むことにより、タンデム接続監視シンク機能を実行する。
【００６３】
経路セグメントの終わりに配置されているネットワークノードの処理ユニットＰＵ２の一般的構造が図１０ｂに詳細に例示されている。図１０ｂは、ＯＤＵフレーマＯＤＵＦ２が図９に示されているオーバヘッドプロセッサＯＨＰの中に含まれているタンデム接続プロセッサＴＣＰ２と情報を交換することを示す。ＯＤＵフレーマＯＤＵＦ２は、規格Ｇ．７９８に準拠している。ＯＤＵフレーマＯＤＵＦ２は、データ信号ＯＤＵのオーバヘッドからタンデム接続パリティ情報ＴＣＩを抽出し、この情報ＴＣＩをタンデム接続プロセッサＴＣＰ２に提供する。
【００６４】
タンデム接続プロセッサＴＣＰ２はさらに、データ信号ＯＤＵのペイロードに関してパリティ情報を算出する。算出されたパリティ情報が提供されたパリティ情報ＴＣＩに等しくない場合、または提供されたパリティ情報が１のみのビットパターンを含んでいる場合は、タンデム接続プロセッサＴＣＰ２は、タンデム接続の障害が存在すると推断する。したがって、タンデム接続プロセッサＴＣＰ２は、タンデム接続の障害を示す情報ＴＣ  ＡＬＡＲＭをデータ信号ＯＤＵのオーバヘッドフィールドに書き込む。
【００６５】
経路セグメントの後ろに配置されているネットワークノードＮＮ’が図１１に示されている。ネットワークノードＮＮ’は、光トランスポートユニットＯＴＵを受信するためのインターフェースＰＩを含む。ＯＴＵフレーマＯＴＵＦは、ＯＴＵから光データユニットＯＤＵを取り出し、ＯＤＵを処理ユニットＰＵに渡す。処理ユニットＰＵは、ＯＤＵフレーマＯＤＵＦおよびオーバヘッドプロセッサＯＨＰを含む。ＯＤＵフレーマＯＤＵＦは、規格Ｇ．７９８に準拠している。ＯＤＵフレーマＯＤＵＦは、ＯＤＵのオーバヘッドからオーバヘッド情報を抽出する。
【００６６】
ＯＤＵフレーマＯＤＵＦは、受信されるデータ信号ＯＤＵを監視し、データ信号ＯＤＵのペイロードが、データ信号障害と同等のアラーム信号を示す１のみを含む場合は、ＯＤＵフレーマＯＤＵＦは送信障害が存在すると推断するように構成される。ＯＤＵフレーマＯＤＵＦは、受信されるデータ信号をさらに監視し、通信規格Ｇ．７９８においてセクション１４．２および１４．５の中に詳細に記載されている状態から送信障害が存在するかどうかを推論する。
【００６７】
オーバヘッドプロセッサは、データ信号ＯＤＵのオーバヘッドに含まれている情報から、検出された送信障害が経路セグメントの中で発生したか、経路セグメントの外で発生したかを判定する。
【図１】
0005581397.tif 000002
【図２】
0005581397.tif 000003
【図３】
0005581397.tif 000004
【図４】
0005581397.tif 000005
【図５】
0005581397.tif 000006
【図６】
0005581397.tif 000007
【図７】
0005581397.tif 000008
【図８】
0005581397.tif 000009
【図９】
0005581397.tif 000010
【図１０ａ】
0005581397.tif 000011
【図１０ｂ】
0005581397.tif 000012
【図１１】
0005581397.tif 000013